(57)【要約】【課題】  遠足やイベント等複数の対象被写体を撮影する場合において、被写体ごとに撮影距離や画角に占める被写体の割合の偏りを軽減するための表示制御方法を提供し、撮影者を補助するための方法を提供すること。【解決手段】  検出された被写体に識別子を付与して登録する登録手段を有する撮像装置であって、被写体の撮影条件に応じて撮影優先度を示す点数を付与する撮影優先度点数付与手段と、前記撮影優先度点数の被写体ごとの累積点数を算出する累積点数算出手段と、前記累積点数の変化情報を被写体の表示情報に合成し表示する合成表示手段と、を備えることを特徴とする。【選択図】  図６
2020174311.tif 000002
【特許請求の範囲】
【請求項１】
検出された被写体に識別子を付与して登録する登録手段を有する撮像装置であって、
被写体の撮影条件に応じて撮影優先度を示す点数を付与する撮影優先度点数付与手段と、
前記撮影優先度点数の被写体ごとの累積点数を算出する累積点数算出手段と、
前記累積点数の変化情報を被写体の表示情報に合成し表示する合成表示手段と、
を備えることを特徴とする撮像装置。
【請求項２】
前記撮影優先度点数付与手段は、撮影処理時に被写体を検出し、該被写体が登録済みであると判定されたときに該被写体の撮影条件が良好である時に高得点を、撮影条件が不良であるときに低得点を算出し該被写体の識別子に付与することを特徴とする請求項１に記載の撮像装置。
【請求項３】
前記累積点算出手段は、前記撮影優先度点数付与手段により付与された撮影優先度点数を撮影処理ごとに被写体の識別子に対し累積点数として加算を続けることを特徴とする請求項１に記載の撮像装置。
【請求項４】
前記合成表示手段は、表示装置に表示中の被写体を検出し、該被写体が登録済みであると判定されたときに該被写体の識別子に付与された累積点数を読み出し、該累積点数に対応した情報を表示装置に表示中の被写体情報に合成し表示することを特徴とする請求項１に記載の撮像装置。
【請求項５】
撮像装置の制御方法であって、
前記撮像装置は、被写体の撮影条件に応じて撮影優先度を示す点数を付与する撮影優先度点数付与工程と、
前記撮影優先度点数の被写体ごとの累積点数を算出する累積点数算出工程と、
前記累積点数の変化情報を被写体の表示情報に合成し表示する合成表示工程と、
を備えることを特徴とする撮像装置制御方法。
【請求項６】
撮像装置が有するコンピュータを、請求項１乃至請求項５のいずれか１項に記載の撮像装置の前記制御手段として機能させるためのプログラム。
【発明の詳細な説明】
【技術分野】
【０００１】
本発明は、撮像装置とその制御方法に関し、特には撮影被写体の撮影回数に応答した表示制御方法に関する。
【背景技術】
【０００２】
デジタルカメラやビデオカメラ等の撮影光学系の撮像装置を用いて撮影者が被写体を撮影する際、撮影者は被写体の表情や構図等、いわゆるシャッターチャンスを考慮して撮影を行う。このように、シャッターチャンスを基準に撮影を行った場合、最終的な撮影枚数に対して各被写体が写った枚数に偏りが発生する場合がある。
【０００３】
たとえば、遠足やイベント等で撮影を依頼され撮影した写真を販売するサービスを提供する出張カメラマン等のサービス提供者がいる。仮にサービス提供者が依頼者である対象被写体のうち、一人でも撮り逃してしまった場合、サービスに対する対価にペナルティが発生する場合がある。また、撮り逃しが発生しない場合でも、対象被写体の写っている作品点数が少いことや、撮影結果が小さなものばかりであるなど、依頼者に十分なサービスを提供できない場合がある。
【０００４】
被写体の撮影枚数の偏りを軽減する方法として、対象被写体に応じて、撮影頻度を記録しておき被写体の顔画像と共に撮影頻度を示す情報を合成表示する方法が知られている（特許文献１参照）。
【先行技術文献】
【特許文献】
【０００５】
【特許文献１】特許第５３８３２０７号公報
【発明の概要】
【発明が解決しようとする課題】
【０００６】
上記の特許文献１に開示された従来技術では、撮影された被写体の撮影頻度情報を記録しておき、前記撮影頻度情報を表示することで被写体の撮影頻度を撮影者に示し、被写体の撮影頻度の偏りを軽減することができる。しかしながら、いかなる状態であっても被写体が検出され、撮影されることで撮影頻度情報が蓄積されるため、たとえば被写体が画角内で非常に小さな状態であっても撮影されると撮影頻度情報として蓄積される。このため、多くの場合被写体が画角に対して小さな状態で撮影され続けてしまった場合でも高頻度で撮影されたと表示される。被写体の撮影枚数の偏りを軽減することはできるが、被写体の写り具合の偏りを軽減することはできない。
【０００７】
本発明はこのような従来技術の課題を少なくとも軽減することを目的とする。具体的には、撮影条件に応じて撮影優先度を示す点数を付与し、前記付与点数の累積点数に応じて表示方法を変更する表示制御方法を提供することにある。
【課題を解決するための手段】
【０００８】
上述の目的を達成するために、本発明に係る撮像装置は、
検出された被写体に識別子を付与して登録する登録手段を有する撮像装置であって、被写体の撮影条件に応じて撮影優先度を示す点数を付与する撮影優先度点数付与手段と、前記撮影優先度点数の被写体ごとの累積点数を算出する累積点数算出手段と、前記累積点数の変化情報を被写体の表示情報に合成し表示する合成表示手段と、
を備えることを特徴とする。
【発明の効果】
【０００９】
本発明に係る撮像装置によれば、撮影者が撮影しようとする被写体の写り具合の偏り情報を容易に比較することが可能になる。
【図面の簡単な説明】
【００１０】
【図１】撮像装置のハードウェア構成の一例を説明する概略図である。
【図２】被写体識別子テーブルの内容について一例を示した概略図である。
【図３】撮像装置が静止画撮影を行う手順を説明するフローチャート図である。
【図４】撮影優先度付与点数の付与方法の一例を示した概略図である。
【図５】撮像装置が１枚目の静止画像を撮影した時の撮影優先度累積点数の状態と付与点数の状態の一例を示した概略図である。
【図６】撮像装置が撮影優先度累積点数加算処理を行う手順を説明するフローチャート図である。
【図７】撮影優先度点数に応じてライブビュー画面に出力させる顔枠の形状の変化の一例を示した概略図である。
【図８】撮影優先度点数に応じてライブビュー画面に出力させる顔枠の形状の変化の手順を示したフローチャート図である。
【図９】撮像装置が２枚目の静止画像を撮影した時の撮影優先度累積点数の状態と付与点数の状態の一例を示した概略図である。
【図１０】撮像装置が３枚目の静止画像を撮影した時の撮影優先度累積点数の状態と付与点数の状態の一例を示した概略図である。
【図１１】撮像装置が４枚目の静止画像を撮影した時の撮影優先度累積点数の状態と付与点数の状態の一例を示した概略図である。
【発明を実施するための形態】
【００１１】
以下、本発明を実施するための形態について、図面を参照しながら詳細に説明する。
【００１２】
なお、以下ではデジタルカメラ（撮像装置１）に本発明を適用した実施形態について説明するが、本発明は、プログラマブルプロセッサを用いる任意の電子機器に適用可能である。なお、このような電子機器には撮像装置以外にスマートフォン、パーソナルコンピュータ、タブレット端末、ゲーム機などが含まれるが、これらに限定されない。
【００１３】
図１は、本発明の第１実施形態に係る撮像装置１の機能構成例を示すブロック図である。
【００１４】
なお、図１において「回路」と記載されている機能ブロックは、それぞれが独立したハードウェア（ＡＳＩＣ、ＡＳＳＰなど）で構成されてもよいし、複数の機能ブロックが１つのハードウェアで構成されてもよい。
【００１５】
撮像素子１００は、例えばＣＣＤまたはＣＭＯＳイメージセンサであり、撮影光学系１０で形成された被写体の光学像を電気信号に光電変換する。後述するように、撮像素子１００は二次元配置された複数の画素を有し、各画素は撮像用画素としても焦点検出用画素としても利用可能な構成を有する。以下の説明では、画素の用途により、撮像用画素または焦点検出用画素と呼ぶ。
【００１６】
撮像素子１００の動作（蓄積、リセット、読み出しなど）は、プログラマブルプロセッサの一例である中央処理装置（ＣＰＵ）１０３の制御によってタイミングジェネレータ（ＴＧ）１０２が生成する各種の信号によって制御される。アナログフロントエンド（ＡＦＥ）１０１は、撮像素子１００から読み出されたアナログ画像信号に対して、ゲイン調整やＡ／Ｄ変換などを行う。ＴＧ１０２は、ＣＰＵ１０３の制御に従い、撮像素子１００およびＡＦＥ１０１の動作を制御する。なお、図１ではＡＦＥ１０１およびＴＧ１０２を撮像素子１００と別の構成として記載しているが、撮像素子１００に内蔵される構成であってもよい。
【００１７】
上述のように、ＣＰＵ１０３は例えばＲＯＭ１０７に記憶されているプログラム（ＯＳおよびアプリケーションプログラムを含む）を一次記憶装置であるＲＡＭ１０６に読み込んで実行することにより、撮像装置の各部を制御し、撮像装置１の機能を実現する。本実施形態の撮像装置１が用いるＯＳはマルチタスクＯＳである。なお、以下で回路として説明する機能ブロックの少なくとも一部は、ＡＳＩＣやＡＳＳＰなどのハードウェアによって実現される代わりに、ＣＰＵ１０３がプログラムを実行することによって実現されてもよい。
【００１８】
操作部１０４は、タッチパネル、キー、ボタンなどの入力デバイス群であり、ユーザが撮像装置に指示やパラメータなどを入力するために用いられる。シャッタボタン、電源スイッチ、方向キー、メニューボタン、決定（セット）ボタン、撮影モードダイヤル、再生ボタン、動画撮影ボタンなどが操作部１０４に含まれるが、これらは単なる例示である。また、タッチパネルは表示装置１０５に組み込まれる場合もある。ＣＰＵ１０３は操作部１０４を監視し、操作部１０４に対する操作を検出すると検出した操作に応じた動作を実行する。
【００１９】
表示装置１０５は、ＣＰＵ１０３の制御により、撮影した画像（静止画や動画）、メニュー画面、撮像装置１の設定値や状態などを表示する。
【００２０】
ＲＡＭ１０６は、ＡＦＥ１０１が出力する画像データや、画像処理回路１０８で処理された画像データを記憶するために用いられたり、ＣＰＵ１０３のワークメモリとして用いられたりする。ＲＡＭ１０６はシステムメモリとも呼ばれる。本実施形態ではＲＡＭ１０６はＤＲＡＭで構成されるものとするが、それに限定されない。
【００２１】
ＲＯＭ１０７は、ＣＰＵ１０３が実行するプログラムや、各種の設定値、ＧＵＩデータなどを記憶する。ＲＯＭ１０７の少なくとも一部は書き換え可能であってよい。
【００２２】
画像処理回路１０８は、画像データに対して様々な画像処理を適用する。画像処理には色補間、ホワイトバランス調整、光学歪み補正、階調補正、符号化、復号など、撮影された画像の記録や再生に関する処理が含まれる。また、画像処理には、コントラストＡＦ用の評価値算出や、像面位相差ＡＦ用の像信号生成、ＡＥ用の輝度評価値生成、被写体検出、動きベクトル検出など、撮影動作の制御に関する処理も含まれる。
【００２３】
なお、ここで列挙した画像処理は単なる例示であって、実施が必須であることを意味しない。また、他の画像処理が実行されてもよい。
【００２４】
相関演算回路１２０は、画像処理回路１０８が生成する像面位相差ＡＦ用の像信号に対して相関演算を行い、像信号間の位相差（大きさおよび方向）を算出する。
【００２５】
ＡＦ演算回路１０９は、相関演算回路１２０から出力される相関演算結果に基づいて、フォーカスレンズ１１９の駆動方向および駆動量を算出する。記録媒体１１０は、撮影した画像データを撮像装置１内に記録する場合に用いられる。記録媒体１１０は例えば着脱可能なメモリカードおよび／または内蔵固定メモリであってよい。
【００２６】
シャッタ１１１は静止画撮影時に撮像素子１００の露光時間を調節するためのメカニカルシャッタであり、モータ１２２によって開閉される。モータ１２２の開閉はシャッタ駆動回路１２１を通じてＣＰＵ１０３が制御する。なお、メカニカルシャッタの代わりにＴＧ１０２が供給する信号によって撮像素子１００の電荷蓄積時間を調整してもよい（電子シャッタ）。
【００２７】
フォーカス駆動回路１１２は、フォーカスアクチュエータ１１４を駆動することによってフォーカスレンズ１１９を光軸方向に移動させ、撮影光学系の合焦距離を変更する。像面位相差ＡＦを実行する場合、ＡＦ演算回路１０９が算出したフォーカスレンズ１１９の駆動方向および駆動量に基づいてフォーカスアクチュエータ１１４を駆動する。
【００２８】
絞り駆動回路１１３は、絞りアクチュエータ１１５を駆動することによって絞り１１７の開口径を変更する。レンズ１１６は、撮影光学系の先端に配置され、光軸方向に進退可能に保持される。絞り１１７及び第２レンズ１１８は一体となって光軸方向に進退し、前記第１レンズ１１６の進退動作との連動により、変倍作用（ズーム機能）を実現する。
【００２９】
メモリカード１１０は可搬性のある二次記憶装置である。なお、二次記憶装置はメモリカードに限定されず、任意の不揮発性の記憶装置を用いることができる。なお、ＲＯＭ１０７とメモリカード１１０とが実際には同一の記憶装置の別領域として実現されてもよい。
【００３０】
認識回路１５０は静止画像撮影時に静止画像内の被写体を認識するための回路である。本実施例では、被写体の顔認識をするための回路として説明するが、人体認識、物体認識等どの様な認識手法が搭載された回路であっても良い。
【００３１】
測距センサ１５１は静止画像撮影時に静止画像内の被写体までの距離を測定することが可能なセンサである。
【００３２】
［被写体識別子の登録］
以下、静止画像撮影時の被写体識別子の登録について図２および図３のフローチャートを用いて説明する。
【００３３】
図２の（ａ）は撮像装置１の撮影中の表示装置１０５の状態を模式的に示した図である。
【００３４】
例えば、撮像装置１の画角内に被写体１（２０１）、被写体２（２０２）、被写体３（２０３）が捉えられているものとする。撮像装置１は撮影者による操作部１０４の操作、主に撮影ボタンの押下により撮影処理を開始する（Ｓ３０１）。
【００３５】
次に、認識回路１５０を用いて顔検出処理を行い（Ｓ３０２）、対象被写体の顔検出を行う。顔検出がされたと判定されたら（Ｓ３０３）、前記顔検出された被写体が図２の（ｂ）の被写体識別子テーブル２０４に登録済みであるかどうか判定する（Ｓ３０４）。前記顔検出された被写体が被写体識別子テーブル２０４に登録されていなければ前記顔検出された被写体に被写体識別子を被写体識別子テーブル２０４に登録する（Ｓ３０５）。
【００３６】
本例では、被写体１（２０１）の識別子を被写体１、被写体２（２０２）の識別子を被写体２、被写体３（２０３）の識別子を被写体３とするが、これらは数字であってもＩＤの様なものであってもよい。
【００３７】
［撮影優先度点数付与］
以下、静止画像撮影時の被写体識別子に対する撮影優先度点数付与処理について説明する。
【００３８】
まず、被写体識別子に対する撮影優先度点数の付与条件について図４の模式図を用いて説明する。
【００３９】
撮影する静止画像全体の画素数に対し、検出された被写体の顔の矩形領域の占める画素数の割合が４％未満であった場合（４０１）、撮影優先度点数付与テーブル４０４に従い、撮影優先度付与点数１点を付与する。
【００４０】
同様に被写体の顔の矩形領域の占める画素数の割合が４％以上１６％未満であった場合（４０２）、撮影優先度付与点数２点を付与する。
【００４１】
被写体の顔の矩形領域の占める画素数の割合が１６％以上であった場合（４０３）は、撮影優先度付与点数３点を付与する。
【００４２】
なお、本例では撮影優先度点数の付与条件として、被写体の顔の矩形領域の占める画素数の割合としたが、測距センサ１５１を用い、被写体までの距離に応じて点数を付与する方法であっても良い。その他、被写体の認識信頼度、被写体の撮影時間間隔等、被写体に紐づけることが可能な撮影条件であれば撮影優先度点数の付与条件に用いて良い。また、本例では撮影優先度点数の付与間隔を３通りで示したが、該点数の付与間隔は何通りであっても良いものとする。
【００４３】
［撮影優先度累積点数加算処理］
以下、静止画像撮影時の被写体識別子に対する撮影優先度累積点数加算処理について図４と図５とおよび図３と図６のフローチャート図を用いて説明する。
【００４４】
図５は被写体１（２０１）、被写体２（２０２）、被写体３（２０３）をそれぞれ初めて撮影した時の被写体識別子テーブル２０４の状態を示した模式図である。撮影処理において、前記被写体識別子の登録が完了しているものとする。被写体識別子に対する累積点数の初期値は０点である。
【００４５】
撮像装置１は、撮影処理において被写体識別子テーブル２０４に登録された被写体識別子に対し、撮影優先度累積点数加算処理が未処理のものがある限り撮影優先度累積点数加算処理を行う（Ｓ３０６、Ｓ３０７）。撮影優先度累積点数加算処理の一例が図６のフローチャート図である。
【００４６】
撮影優先度点数付与テーブル４０４に従い、被写体の顔の矩形領域面積が静止画像全体の４％未満であった場合（Ｓ６０１）、累積点数に１点を加算する（Ｓ６０２）。
【００４７】
顔の矩形領域面積が静止画像全体の４％以上１６％未満であった場合（Ｓ６０３）、累積点数に２点を加算する（Ｓ６０４）。
【００４８】
最後に被写体の顔の矩形領域面積が静止画像全体の１６％以上であった場合は、累積点数に３点を加算する（Ｓ６０５）。図５を例に説明する。初回撮影時は被写体１（２０１）、被写体２（２０２）、被写体３（２０３）の各被写体識別子の累積点０点である。次に被写体１（２０１）は顔の矩形領域面積が４％以上１６％未満であると判定され、付与点数２点が加算される。一方、被写体２（２０２）および被写体３（２０３）は顔の矩形領域面積が４％未満であると判定され、付与点数１点がそれぞれ累積点数に加算される。以上の処理により、初回撮影処理時の結果、被写体１（２０１）の撮影優先度累積点数は２点、被写体２（２０２）、被写体３（２０３）はそれぞれ１点となる。これらの処理を繰り返すことにより、撮像装置１に登録された被写体の被写体識別子には撮影優先度累積点数が加算され続けていく。撮影優先度累積点数加算処理が終了したら、現像処理を行い（Ｓ３０８）、保存処理を行う（Ｓ３０９）。
【００４９】
［撮影優先度累積点数に応じた顔枠表示］
以下、図７および図８のフローチャート図を用いて、顔枠表示を撮影優先度累積点数に応じて変更する方法について説明する。
【００５０】
なお、本例では顔枠表示を撮像装置１の表示装置１０５に接続された液晶ディスプレイを用いライブビュー表示を行う場合について説明する。表示装置はライブビューに用いられる液晶ディスプレイであっても良いし、電子ファインダーの様なものが表示装置に接続されている場合であっても良い。
【００５１】
図７はライブビュー表示における被写体の顔枠表示形式について模式的に示した図である。図８のフローチャート図と合わせて説明する。
【００５２】
ライブビュー表示処理を開始した後、認識回路１５０で被写体の顔検出処理を行う（Ｓ８０１）。
【００５３】
顔検出処理の結果、検出された被写体の顔が被写体識別子テーブル２０４に登録されていなかった場合、該被写体の顔枠を通常枠７０４で表示する様に設定し、ライブビュー表示画面の該被写体の顔領域に合成表示する（Ｓ８０３）。一方、前記顔検出処理の結果、検出された被写体の顔が被写体識別子テーブル２０４に登録済みであったが、撮影優先度累積点数が０点であった場合（Ｓ８０４）も通常枠７０４を合成表示する（Ｓ８０３）。
【００５４】
撮影優先度累積点数が０点を超え、３点以下であった場合（Ｓ８０５）は点線枠７０３を合成表示する（Ｓ８０６）。
【００５５】
次に撮影優先度累積点数が３点を超え、６点以下であった場合（Ｓ８０７）は破線枠７０２を合成表示する（Ｓ８０８）。
【００５６】
最後に撮影優先度累積点数が６点を超える場合（Ｓ８０７）は、実線枠７０１を合成表示する（Ｓ８０９）。
【００５７】
以上の様に、本例では撮影優先度累積点数に応じて被写体の顔枠の形状を変更させて合成表示する方法について説明したが、顔枠の色を変化させ合成表示する方法であっても良いし、累積点数をそのまま合成表示する方法であっても良い。
【００５８】
図９から図１１は２枚目以降の静止画像撮影時の撮影優先度累積点数の加算値に応じた顔枠形状の変化について簡単に説明した模式図である。以降にそれぞれ説明する。
【００５９】
図９は１枚目の静止画像撮影後から２枚目の静止画像撮影中のライブビュー表示画面の状態と被写体識別子テーブル２０４の累積点数の状態を示した模式図である。
【００６０】
被写体１（２０１）は１枚目の静止画像撮影時の累積点数が２点により、ライブビュー表示画面の被写体１（２０１）の顔枠は２０１ａの様に点線枠となる。また、２枚目の静止画像撮影処理において現在の顔の矩形領域面積が全体の４％以上１６％未満と判定され、２点が付与される。よって２枚目の静止画像撮影処理後の被写体１（２０１）の累積点数は４点となる。
【００６１】
同様に被写体２（２０２）、被写体３（２０３）においては共に１枚目の静止画像撮影時の累積点数が１点により、どちらも顔枠は２０２ａ、２０３ａの様に点線枠が表示される。また、２枚目の静止画像撮影処理において現在の顔の矩形領域面積が全体の４％未満であると判定され、それぞれ１点が付与される。これにより、被写体２（２０２）、被写体３（２０３）の２枚目の静止画像撮影処理後の撮影優先度累積点数はそれぞれ２点となる。
【００６２】
図１０は２枚目の静止画像撮影後から３枚目の静止画像撮影中のライブビュー表示画面の状態と被写体識別子テーブル２０４の累積点数の状態を示した模式図である。
【００６３】
被写体１（２０１）は２枚目の静止画像撮影時の累積点数が４点により、ライブビュー表示画面の被写体１（２０１）の顔枠は２０１ｂの様に破線枠となる。また、３枚目の静止画像撮影処理において現在の顔の矩形領域面積が全体の１６％以上と判定され、３点が付与される。よって３枚目の静止画像撮影処理後の被写体１（２０１）の累積点数は７点となる。同様に被写体２（２０２）においては２枚目の静止画像撮影時の累積点数が２点により、顔枠は２０２ｂの様に点線枠が表示される。
【００６４】
また、３枚目の静止画像撮影処理において現在の顔の矩形領域面積が全体の４％以上１６％未満であると判定され、２点が付与される。これにより、被写体２（２０２）の３枚目の静止画像撮影処理後の撮影優先度累積点数は４点となる。最後に被写体３（２０３）においては２枚目の静止画像撮影時の累積点数が２点により、顔枠は２０３ｂの様に点線枠が表示される。また、３枚目の静止画像撮影処理において現在の顔の矩形領域面積が全体の４％未満であると判定され、１点が付与される。これにより、被写体３（２０３）の３枚目の静止画像撮影処理後の撮影優先度累積点数は３点となる。
【００６５】
図１１は３枚目の静止画像撮影後から４枚目の静止画像撮影中のライブビュー表示画面の状態と被写体識別子テーブル２０４の累積点数の状態を示した模式図である。
【００６６】
被写体１（２０１）は３枚目の静止画像撮影時の累積点数が７点により、ライブビュー表示画面の被写体１（２０１）の顔枠は２０１ｃの様に実線枠となる。また、４枚目の静止画像撮影処理において現在の顔の矩形領域面積が全体の４％以上１６％未満と判定され、２点が付与される。よって４枚目の静止画像撮影処理後の被写体１（２０１）の累積点数は９点となる。同様に被写体２（２０２）においては３枚目の静止画像撮影時の累積点数が４点により、顔枠は２０２ｃの様に破線枠が表示される。
【００６７】
また、４枚目の静止画像撮影処理において現在の顔の矩形領域面積が全体の４％以上１６％未満であると判定され、２点が付与される。これにより、被写体２（２０２）の４枚目の静止画像撮影処理後の撮影優先度累積点数は６点となる。最後に被写体３（２０３）においては３枚目の静止画像撮影時の累積点数が３点により、顔枠は２０３ｃの様に破線枠が表示される。また、４枚目の静止画像撮影処理において現在の顔の矩形領域面積が全体の４％以上１６％未満であると判定され、２点が付与される。これにより、被写体３（２０３）の４枚目の静止画像撮影処理後の撮影優先度累積点数は５点となる。
【００６８】
以上の処理により、撮影者が被写体を撮影する際に被写体ごとの撮影条件に点数が付与され、撮影処理を繰り返すことで該点数が累積される。ライブビュー表示画面で該累積点数の値を顔枠の形状で表し被写体の顔位置に合成表示することで撮影者がこれまでどの様な撮影条件で撮影されたかを明示することが可能となる。よって、撮影者が前記顔枠の形状を確認しながら被写体の構図を調整することが可能となるため、被写体ごとの写り具合の偏りを軽減させることが可能となる。
【符号の説明】
【００６９】
１００  撮像素子、１０１  アナログフロントエンド、
１０２  タイミングジェネレータ、１０３  中央処理装置
【図１】
2020174311.tif 000003
【図２】
2020174311.tif 000004
【図３】
2020174311.tif 000005
【図４】
2020174311.tif 000006
【図５】
2020174311.tif 000007
【図６】
2020174311.tif 000008
【図７】
2020174311.tif 000009
【図８】
2020174311.tif 000010
【図９】
2020174311.tif 000011
【図１０】
2020174311.tif 000012
【図１１】
2020174311.tif 000013